(57)【要約】【課題】化粧材の裏面に加工を施さなくても、化粧材を下地材に取り付けることができる化粧材支持具および化粧材取付構造を提供する。【解決手段】外壁材５Ａ，５Ｂが取り付けられた下地材３Ａ，３Ｂに、胴差（化粧材）１０を外壁材に隣接して取り付ける際に、胴差の上端を支持する化粧材支持具。下地材３Ａに固定される固定部２２と、固定部の下端から折り曲げ形成され胴差の裏面側を支持する裏面側支持部２５と、固定部の上端から折り曲げ形成され胴差の表面側を支持する表面側支持部２９とを備え、これらが１枚の弾性を有する板材から形成されている。裏面側支持部２５と表面側支持部２９とで胴差の上端部を挟持する。【選択図】図１
2008266899.tif 000002
【特許請求の範囲】
【請求項１】
外壁材が取り付けられた下地材に、化粧材を前記外壁材に隣接して取り付ける際に、前記化粧材の上端を支持する化粧材支持具であって、
前記下地材に固定される固定部と、この固定部の下端から折り曲げ形成され前記化粧材の裏面側を支持する裏面側支持部と、前記固定部の上端から折り曲げ形成され前記化粧材の表面側を支持する表面側支持部とを備え、
前記固定部、裏面側支持部および前記表面側支持部は、１枚の弾性を有する板材から形成されるとともに、前記裏面側支持部と前記表面側支持部とにより前記化粧材の上端部を挟持することを特徴とする化粧材支持具。
【請求項２】
請求項１に記載の化粧材支持具において、
前記裏面側支持部は、前記表面側支持部よりも下方に延長されて形成されていることを特徴とする化粧材支持具。
【請求項３】
請求項１または請求項２に記載の化粧材支持具において、
前記裏面側支持部は、前記固定部の下端から表面側下方へ向かって傾斜するように折り曲げ形成された傾斜片と、この傾斜片の下端に折り曲げ形成され前記化粧材の裏面側に当接する当接片とを有し、
前記表面側支持部は、前記固定部の上端から表面側へ向かって略直角に折り曲げ形成された折曲片と、この折曲片の先端に下方へ向かって略直角に折り曲げ形成され前記化粧材の表面側に当接する当接片とを有する、ことを特徴とする化粧材支持具。
【請求項４】
請求項３に記載の化粧材支持具において、
前記折曲片および前記傾斜片には、通気孔が形成されていることを特徴とする化粧材支持具。
【請求項５】
外壁材が取り付けられた下地材と、この下地材に前記外壁材に隣接して取り付けられる化粧材と、この化粧材を前記下地材に取り付ける化粧材取付具とを備えた化粧材取付構造において、
前記化粧材取付具は、前記化粧材の上端部を支持する化粧材支持具と、前記化粧材の下端部を前記下地材に固定する化粧材固定具とを備え、
前記化粧材支持具は、前記下地材に固定される固定部と、この固定部の下端から折り曲げ形成され前記化粧材の裏面側を支持する裏面側支持部と、前記固定部の上端から折り曲げ形成され前記化粧材の表面側を支持する表面側支持部とを備え、
前記固定部、裏面側支持部および前記表面側支持部は、１枚の弾性を有する板材から形成されるとともに、前記裏面側支持部と前記表面側支持部とにより前記化粧材の上端部を挟持することを特徴とする化粧材取付構造。
【発明の詳細な説明】
【技術分野】
【０００１】
本発明は、化粧材支持具および化粧材取付構造に関する。詳しくは、外壁材が取り付けられた下地材に、化粧材を外壁材に隣接して取り付ける際に用いられる化粧材支持具および化粧材取付構造に関する。
【背景技術】
【０００２】
一般住宅や集合住宅における見栄えを向上させるために、建物の外装材として化粧材が取り付けられる。
従来、化粧材の取り付けは、釘やビスなどの留め具で下地材に直接取り付ける施工が行われていたが、近年、下地材に化粧材取付具を固定し、この化粧材取付具に化粧材を取り付ける施工が行われている。
【０００３】
例えば、特許文献１には、下地材に係合部を有する第１部材を釘で固定し、この第１部材の係合部に化粧材の裏面に形成された凹部を係合させたのち、化粧材の裏面と第１部材との間に第２部材を差し込むと、化粧材が第１部材の係合部に押圧され、これにより、化粧材を係合部に強固に押し付けた状態で取り付けることができる化粧材取付具および化粧材取付構造が示されている。
【０００４】
また、特許文献２には、下地材に係合部を有する第１部材を釘で固定し、この第１部材の係合部に化粧材の裏面に形成された凹部を係合させたのち、第２部材を化粧材の上面に押し当てながら第２部材を下地に固定すると、化粧材の前方および上下方向への移動が規制され、これにより、化粧材を前方および上下方向への移動を規制した状態で取り付けることができる化粧材取付具および化粧材取付構造が示されている。
【０００５】
【特許文献１】特開２００２−３２２７９０号公報
【特許文献２】特開２００４−８４３７０号公報
【発明の開示】
【発明が解決しようとする課題】
【０００６】
上述した特許文献１や特許文献２に示された化粧材取付具および化粧材取付構造では、第１部材の係合部に化粧材を係合させるために、化粧材の裏面に凹部を形成しなければならないため、化粧材の製造が煩雑化し、コストアップにつながるという課題がある。
【０００７】
本発明の目的は、このような従来の課題を解消し、化粧材の裏面に加工を施さなくても、化粧材を下地材に取り付けることができる化粧材支持具および化粧材取付構造を提供することにある。
【課題を解決するための手段】
【０００８】
本発明の化粧材支持具は、外壁材が取り付けられた下地材に、化粧材を前記外壁材に隣接して取り付ける際に、前記化粧材の上端を支持する化粧材支持具であって、前記下地材に固定される固定部と、この固定部の下端から折り曲げ形成され前記化粧材の裏面側を支持する裏面側支持部と、前記固定部の上端から折り曲げ形成され前記化粧材の表面側を支持する表面側支持部とを備え、前記固定部、裏面側支持部および前記表面側支持部は、１枚の弾性を有する板材から形成されるとともに、前記裏面側支持部と前記表面側支持部とにより前記化粧材の上端部を挟持することを特徴とする。
この構成によれば、固定部を下地材に適宜な手段によって固定したのち、化粧材の上端を裏面側支持部と表面側支持部との間に差し込むと、化粧材の上端部は、裏面側支持部と表面側支持部とで挟持されて支持される。こののち、化粧材の下端を、例えば、留め具などの適宜な固定手段で下地材に固定すれば、化粧材を下地材に固定できる。従って、化粧材の裏面に加工を施さなくても、化粧材を下地材に簡単に取り付けることができる。
また、固定部、裏面側支持部および表面側支持部が、１枚の弾性を有する板材から形成されているから、化粧材の上端を裏面側支持部と表面側支持部との間に差し込んだ際、化粧材の上端の厚みが規定寸法より厚かったり、薄かったりしても、裏面側支持部と表面側支持部とが内外へ弾性変形できるため、化粧材の上端を確実に支持できる。
【０００９】
本発明の化粧材支持具において、前記裏面側支持部は、前記表面側支持部よりも下方に延長されて形成されていることが好ましい。
この構成によれば、裏面側支持部が、表面側支持部よりも下方に延長されて形成されているから、化粧材の上端を裏面側支持部と表面側支持部との間に差し込む際、化粧材の上端を裏面側支持部にあてがったのち、裏面側支持部に沿って持ち上げると、裏面側支持部と表面側支持部との間に差し込むことができる。従って、化粧材の上端を裏面側支持部と表面側支持部との間に差し込みやすい利点がある。
【００１０】
本発明の化粧材支持具において、前記裏面側支持部は、前記固定部の下端から表面側下方へ向かって傾斜するように折り曲げ形成された傾斜片と、この傾斜片の下端に折り曲げ形成され前記化粧材の裏面側に当接する当接片とを有し、前記表面側支持部は、前記固定部の上端から表面側へ向かって略直角に折り曲げ形成された折曲片と、この折曲片の先端に下方へ向かって略直角に折り曲げ形成され前記化粧材の表面側に当接する当接片とを有する、ことが好ましい。
この構成によれば、裏面側支持部は、固定部の下端から表面側下方へ向かって傾斜するように折り曲げ形成された傾斜片と、この傾斜片の下端に折り曲げ形成され化粧材の裏面側に当接する当接片とを有する形状であるから、化粧材の上端を裏面側支持部と表面側支持部との間に差し込む際、化粧材の上端を傾斜片に沿って持ち上げれば、化粧材の上端を裏面側支持部と表面側支持部との間にスムーズに差し込むことができる。従って、作業性を向上させることができる。
また、表面側支持部は、固定部の上端から表面側へ向かって略直角に折り曲げ形成された折曲片と、この折曲片の先端に下方へ向かって略直角に折り曲げ形成され化粧材の表面側に当接する当接片とを有する形状であるから、雨水の浸入を防止できる。
【００１１】
本発明の化粧材支持具において、前記折曲片および前記傾斜片には、通気孔が形成されていることが好ましい。
この構成によれば、折曲片および傾斜片に通気孔が形成されているから、外壁材が通気層を介して下地材に取り付けられた構造であっても、通気層を確保できる。また、万一、雨水が通気層内に浸入したり、あるいは、結露水が通気層内に発生した場合でも、これらの水を排出できる。
【００１２】
本発明の化粧材取付構造は、外壁材が取り付けられた下地材と、この下地材に前記外壁材に隣接して取り付けられる化粧材と、この化粧材を前記下地材に取り付ける化粧材取付具とを備えた化粧材取付構造において、前記化粧材取付具は、前記化粧材の上端部を支持する化粧材支持具と、前記化粧材の下端部を前記下地材に固定する化粧材固定具とを備え、前記化粧材支持具は、前記下地材に固定される固定部と、この固定部の下端から折り曲げ形成され前記化粧材の裏面側を支持する裏面側支持部と、前記固定部の上端から折り曲げ形成され前記化粧材の表面側を支持する表面側支持部とを備え、前記固定部、裏面側支持部および前記表面側支持部は、１枚の弾性を有する板材から形成されるとともに、前記裏面側支持部と前記表面側支持部とにより前記化粧材の上端部を挟持することを特徴とする。
この構成によれば、上述した化粧材支持具と同様に、化粧材の裏面に加工を施さなくても、化粧材を下地材に簡単に取り付けることができるとともに、化粧材の上端の厚み変動に対しても、化粧材の上端を確実に支持できる、という効果が期待できる。
【発明を実施するための最良の形態】
【００１３】
本発明の実施形態を図１〜図２に示す。図１は、２階建て住宅の外壁部分の断面図である。図２は、化粧材取付具の斜視図である。
＜実施形態の構成＞
図１に示すように、住宅の各階において、梁１にブラケット２Ａ，２Ｂを介して下地材３Ａ，３Ｂが取り付けられ、この下地材３Ａ，３Ｂに通気層４Ａ，４Ｂを介して外壁材５Ａ，５Ｂが取り付けられている。上下階の外壁材５Ａ，５Ｂの間には化粧材としての胴差１０が隣接配置され、この胴差１０が化粧材取付具２０を介して下地材３Ａ，３Ｂに取り付けられている。
なお、上下階の下地材３Ａ，３Ｂの間には、梁１の外側に収容された断熱材６を外側から覆う下地材としての覆板７が掛け渡されている。また、下階の下地材３Ｂと外壁材５Ｂとの間には、ガイド部材８が取り付けられている。
【００１４】
外壁材５Ａ，５Ｂは、窯業系、石材系、タイル系、樹脂系、アルミ系、木質系などの材料によって板状に形成されている。つまり、断面矩形状で、図１の紙面と直交する方向へ連続する板状に形成されている。
【００１５】
胴差１０も、外壁材５Ａ，５Ｂと同様に、窯業系、石材系、タイル系、樹脂系、アルミ系、木質系などの材料によって、板状に形成されている。つまり、断面矩形状で、図１の紙面と直交する方向へ連続する板状に形成されている。また、胴差１０の上下端縁は、表面側の肉厚を薄くした薄肉縁部に形成されている。
【００１６】
化粧材取付具２０は、図２にも示すように、胴差１０の上端部を支持する化粧材支持具２１と、胴差１０の下端部を下地材３Ｂに固定する化粧材固定具４１とを備えている。
化粧材支持具２１は、胴差１０の長手方向に連続する形状で、下地材３Ａに固定される固定部２２と、この固定部２２の下端から折り曲げ形成され胴差１０の裏面側を支持する裏面側支持部２５と、固定部２２の上端から折り曲げ形成され胴差１０の表面側を支持する表面側支持部２９とを備え、これらが１枚の弾性を有する板材、例えば、メッキ鋼板、ステンレス材、アルミ材、樹脂材などの板材の折り曲げ加工によって形成されている。
【００１７】
固定部２２には、ビスなどの留め具を挿通するための留め具挿通孔２３が長手方向一定間隔位置に設けられている。ビスなどの留め具２４（図１参照）を留め具挿通孔２３を通して下地材３Ａにねじ込むことにより、固定部２２が下地材３Ａに固定される。
【００１８】
裏面側支持部２５は、固定部２２の下端から表面側下方へ向かって傾斜するように折り曲げ形成された傾斜片２６と、この傾斜片２６の下端に折り曲げ形成され胴差１０の裏面側に当接する当接片２８とを有し、これらは、表面側支持部２９よりも下方に延長されて形成されている。傾斜片２６には、矩形状の通気孔２７が長手方向一定間隔位置に形成されている。
【００１９】
表面側支持部２９は、固定部２２の上端から表面側へ向かって略直角に折り曲げ形成された折曲片３０と、この折曲片３０の先端に下方へ向かって略直角に折り曲げ形成され胴差１０の表面側に当接する当接片３２とを有する。裏面側支持部２５と表面側支持部２９とにより胴差１０の上端部を挟持する挟持部３３が形成されている。折曲片３０には、通気孔３１が長手方向一定間隔位置に形成されている
【００２０】
化粧材固定具４１も、胴差１０の長手方向に連続する形状で、１枚の弾性を有する板材によって構成されているとともに、長手方向所定間隔位置に留め具挿通孔４２，４３を有する。留め具挿通孔４２に挿入されるビスなどの留め具４４（図１参照）によって、化粧材固定具４１が胴差１０の裏面に固定される。留め具挿通孔４３に挿入されるビスなどの留め具４５（図１参照）によって、胴差１０の下端が下地材３Ｂに固定される。
【００２１】
＜施工方法＞
施工にあたっては、化粧材取付具２０のうち、化粧材支持具２１を下地材３Ａに固定し、化粧材固定具４１を胴差１０の裏面に固定する。
化粧材支持具２１を下地材３Ａに固定するには、留め具２４を固定部２２の留め具挿通孔２３から差し込んで下地材３Ａにねじ込む。これにより、化粧材支持具２１が下地材３Ａに固定される。
化粧材固定具４１を胴差１０の裏面に固定するには、化粧材固定具４１を胴差１０の裏面にあてがい、留め具４４を留め具挿通孔４２から差し込んで胴差１０にねじ込む。これにより、化粧材固定具４１が胴差１０の裏面に固定される。
【００２２】
続いて、化粧材固定具４１を固定した胴差１０の上端部を、化粧材支持具２１の裏面側支持部２５と表面側支持部２９との間に差し込む。このとき、裏面側支持部２５が、表面側支持部２９よりも下方に延長されて形成されているから、胴差１０の上端を裏面側支持部２５にあてがうことができる。しかも、裏面側支持部２５は、固定部２２の下端から折り曲げ形成され表面側下方へ向かって傾斜された傾斜片２６を有しているから、胴差１０の上端を傾斜片２６に沿って持ち上げれば、胴差１０の上端を裏面側支持部２５と表面側支持部２９との間にスムーズに差し込むことができる。
【００２３】
このようにして、胴差１０の上端を裏面側支持部２５と表面側支持部２９との間に差し込むと、胴差１０の上端部は、裏面側支持部２５と表面側支持部２９とで弾性的に挟持された状態で支持される。なお、胴差１０の上端面と表面側支持部２９の折曲片３０の内面との間に乾式のシーリング材５３を挿入しておけば、二次的防水効果が期待できる。
この際、固定部２２、裏面側支持部２５および表面側支持部２９が、１枚の弾性を有する板材から形成されているから、胴差１０の上端の厚みが規定寸法より厚かったり、薄かったりしても、裏面側支持部２５と表面側支持部２９とが内外へ弾性変形できるため、胴差１０の上端を確実に挟持できる。
【００２４】
この後、胴差１０の下端、つまり、化粧材固定具４１をガイド部材８に突き当てて位置決めしたのち、胴差１０と外壁材５Ｂとの目地部に、断面コ字状の目地枠５１を嵌め込む。また、目地枠５１を通して留め具４５を下地材３Ｂにねじ込んで化粧材固定具４１を下地材３Ｂに固定したのち、目地枠５１に目地蓋５２を係合させる。これにより、胴差１０は、上端が化粧材支持具２１で挟持され、下端が化粧材固定具４１および留め具４５を介して下地材３Ｂに固定される。
【００２５】
この状態では、表面側支持部２９の折曲片３０が胴差１０の上端面を覆い、かつ、当接片３２が胴差１０の表面側上部を覆っているから、雨水の浸入を防止できる。仮に、雨水が浸入しても、表面側支持部２９の折曲片３０や裏面側支持部２５の傾斜片２６には通気孔３１，２７が形成されているから、この通気孔３１，２７を通じて雨水を排出できる。もとより、通気孔３１，２７は、通気層４Ａ，４Ｂを遮断することがないので、通気層４Ａ，４Ｂが確保されている。
【００２６】
＜実施形態の効果＞
（１）固定部２２を下地材３Ａに固定したのち、胴差１０の上端を裏面側支持部２５と表面側支持部２９との間に差し込むと、胴差１０の上端部は、裏面側支持部２５と表面側支持部２９とで挟持されて支持される。こののち、胴差１０の下端を留め具４５などの固定手段で下地材３Ｂに固定すれば、胴差１０を下地材３Ａ，３Ｂに固定できる。従って、胴差１０の裏面に加工を施さなくても、胴差１０を下地材３Ａ，３Ｂに簡単に取り付けることができる。また、胴差１０の上端については、釘やビスなどの留め具を用いて、固定しなくてもよいから、意匠性を向上させることができる。
【００２７】
（２）固定部２２、裏面側支持部２５および表面側支持部２９が、１枚の弾性を有する板材から形成されているから、部品点数を少なくできる。また、裏面側支持部２５および表面側支持部２９は、固定部２２に対して一体的な折り曲げ加工によって形成されているから、製造が簡易でかつ安価にできる利点がある。
しかも、胴差１０の上端を裏面側支持部２５と表面側支持部２９との間に差し込んだ際、胴差１０の上端の厚みが規定寸法より厚かったり、薄かったりしても、裏面側支持部２５と表面側支持部２９とが内外へ弾性変形できるため、胴差１０の上端を確実に支持できる。
【００２８】
（３）裏面側支持部２５が、表面側支持部２９よりも下方に延長されて形成されているから、胴差１０の上端を裏面側支持部２５と表面側支持部２９との間に差し込む際、胴差１０の上端を裏面側支持部２５にあてがったのち、裏面側支持部２５に沿って持ち上げると、裏面側支持部２５と表面側支持部２９との間に差し込むことができる。
【００２９】
（４）しかも、裏面側支持部２５は、固定部２２の下端から表面側下方へ向かって傾斜する傾斜片２６を有する形状であるから、胴差１０の上端を裏面側支持部２５と表面側支持部２９との間に差し込む際、胴差１０の上端を傾斜片２６に沿って持ち上げれば、胴差１０の上端を裏面側支持部２５と表面側支持部２９との間にスムーズに差し込むことができる。従って、作業性を向上させることができる。
【００３０】
（５）表面側支持部２９は、固定部２２の上端から表面側へ向かって略直角に折り曲げ形成された折曲片３０と、この折曲片３０の先端に下方へ向かって略直角に折り曲げ形成され胴差１０の表面側に当接する当接片３２とを有する形状であるから、雨水の浸入を防止できる。しかも、折曲片３０の内面と胴差１０の上端面との間にシーリング材５３を介在させてので、二次的防水効果も期待できる。
【００３１】
（６）折曲片３０および傾斜片２６には通気孔３１，２７が形成されているから、外壁材５Ａ，５Ｂと下地材３Ａ，３Ｂとの間に形成された通気層４Ａ，４Ｂを確保できる。また、万一、雨水が通気層４Ａ，４Ｂ内に浸入したり、あるいは、結露水が通気層４Ａ，４Ｂ内に発生した場合でも、これらの水を外部へ排出可能である。
【００３２】
＜変形例＞
なお、本発明は、前述の実施形態に限定されるものではなく、本発明の目的を達成できる範囲での変形、改良などは本発明に含まれる。
前記実施形態では、下地を、断熱材６、覆板７、ガイド部材８等を含んで構成したが、これに限らず、他の構成であってもよい。
例えば、図３に示すように、下地を、１枚の下地材３によって構成し、この下地材３に通気層４を介して外壁材５Ａ，５Ｂを取り付け、この外壁材５Ａ，５Ｂの間に胴差１０を配置する構成であってもよい。
【００３３】
また、胴差１０と外壁材５Ａ，５Ｂとの間の目地部を塞ぐシーリング材については、乾式シーリング材であっても、湿式シーリング材であってもよい。ちなみに、湿式シーリング材としては、シリコン系、ウレタン系などを好適に採用できる。
また、化粧材としては、前記実施形態で挙げた胴差１０に限らず、幕板などでも適用可能である。
【産業上の利用可能性】
【００３４】
本発明は、胴差や幕板などの化粧材を建物の下地材に固定する際の化粧材支持具、化粧材取付構造として利用できる。
【図面の簡単な説明】
【００３５】
【図１】本発明の実施形態を示す断面図。
【図２】同上実施形態における化粧材取付具を示す斜視図。
【図３】本発明の変形例を示す断面図。
【符号の説明】
【００３６】
３Ａ，３Ｂ，３…下地材、４Ａ，４Ｂ，４…通気層、５Ａ，５Ｂ…外壁材、１０…胴差（化粧材）、２０…化粧材取付具、２１…化粧材支持具、２２…固定部、２５…裏面側支持部、２６…傾斜片、２７…通気孔、２８…当接片、２９…表面側支持部、３０…折曲片、３１…通気孔、３２…当接片。
【図１】
2008266899.tif 000003
【図２】
2008266899.tif 000004
【図３】
2008266899.tif 000005